(57)【要約】【課題】電池を外さなくともカード型機器の抜き差しができながら、薄型化が図れるようにする。【解決手段】筐体１の一面に、電池３とカード型機器４とを対向する位置で、ほぼ同一面となるよう配置して収納し、その電池３とカード型機器４との間に、当該カード型機器４が電池３を乗り越える位置まで移動できる間隔（Ｗ）を設ける。具体的には、その電池３とカード型機器４との間の間隔（Ｗ）に他の部品（８）を配置する。また、電池３を覆う電池蓋２を備え、その電池蓋２に、カード型機器４の端部に当接して当該カード型機器４の抜けを防止するためのリブ５を設ける。そして、電池３とカード型機器４との間の間隔（Ｗ）に、当該カード型機器４を抜け易くする勾配面６を設ける。さらに、筐体１の内部に配置される基板９を備え、その基板９を電池３とカード型機器４との間の間隔（Ｗ）にまで延設する。【選択図】図４
2011166244.tif 000002
【特許請求の範囲】
【請求項１】
筐体の一面に、電池とカード型機器とを対向する位置で、ほぼ同一面となるよう配置して収納し、
前記電池とカード型機器との間に、当該カード型機器が電池を乗り越える位置まで移動できる間隔を設けたことを特徴とする電池及びカード型機器収納装置。
【請求項２】
前記電池とカード型機器との間の前記間隔に他の部品を配置したことを特徴とする請求項１に記載の電池及びカード型機器収納装置。
【請求項３】
前記電池を覆う電池蓋を備え、
その電池蓋に、前記カード型機器の端部に当接して当該カード型機器の抜けを防止するためのリブを設けたことを特徴とする請求項１または２に記載の電池及びカード型機器収納装置。
【請求項４】
前記電池とカード型機器との間の前記間隔に、当該カード型機器を抜け易くする勾配面を設けたことを特徴とする請求項１から３のいずれか一項に記載の電池及びカード型機器収納装置。
【請求項５】
前記筐体の内部に配置される基板を備え、
その基板を前記電池とカード型機器との間の前記間隔にまで延設したことを特徴とする請求項１から４のいずれか一項に記載の電池及びカード型機器収納装置。
【請求項６】
請求項１から５のいずれか一項に記載の電池及びカード型機器収納装置を備えることを特徴とする電子機器。
【発明の詳細な説明】
【技術分野】
【０００１】
本発明は、電池及びカード型機器を収納する装置と、その電池及びカード型機器収納装置を備える電子機器に関する。
【背景技術】
【０００２】
携帯電話機において、バッテリを収容するバッテリ収容部が形成された筐体本体部と、バッテリ収容部を覆うカバー部材とを有し、バッテリ収容部内には、バッテリがバッテリ収容部に収容されたときに、バッテリにより隠れる領域に第１カード挿入部が、バッテリにより隠れない領域に第２カード挿入部がそれぞれ設けられたものが特許文献１に開示される。
そして、その第２カード挿入部は、バッテリとともにカバー部材で覆うようになっており、また、そのカバー部材には第２カード、バッテリと対向するリブを設けるようにしている。
【先行技術文献】
【特許文献】
【０００３】
【特許文献１】特開２００９‐１１１５７３号公報
【発明の概要】
【発明が解決しようとする課題】
【０００４】
しかし、特許文献１のものでは、第１カード挿入部のようにバッテリと対向位置で同一面かつ近接するように配置すると、カードの抜き差しはバッテリを外してからでないと行えない。
また、第２カード挿入部のようにバッテリの上面を超えた位置にするとバッテリを外さなくともカードの抜き差しができるが、薄型化を図るうえで不利になる。
【０００５】
本発明の課題は、電池を外さなくともカード型機器の抜き差しができながら、薄型化が図れるようにすることである。
【課題を解決するための手段】
【０００６】
以上の課題を解決するため、請求項１に記載の発明は、筐体の一面に、電池とカード型機器とを対向する位置で、ほぼ同一面となるよう配置して収納し、前記電池とカード型機器との間に、当該カード型機器が電池を乗り越える位置まで移動できる間隔を設けた電池及びカード型機器収納装置を特徴とする。
【０００７】
請求項２に記載の発明は、請求項１に記載の電池及びカード型機器収納装置であって、前記電池とカード型機器との間の前記間隔に他の部品を配置したことを特徴とする。
【０００８】
請求項３に記載の発明は、請求項１または２に記載の電池及びカード型機器収納装置であって、前記電池を覆う電池蓋を備え、その電池蓋に、前記カード型機器の端部に当接して当該カード型機器の抜けを防止するためのリブを設けたことを特徴とする。
【０００９】
請求項４に記載の発明は、請求項１から３のいずれか一項に記載の電池及びカード型機器収納装置であって、前記電池とカード型機器との間の前記間隔に、当該カード型機器を抜け易くする勾配面を設けたことを特徴とする。
【００１０】
請求項５に記載の発明は、請求項１から４のいずれか一項に記載の電池及びカード型機器収納装置であって、前記筐体の内部に配置される基板を備え、その基板を前記電池とカード型機器との間の前記間隔にまで延設したことを特徴とする。
【００１１】
請求項６に記載の発明は、請求項１から５のいずれか一項に記載の電池及びカード型機器収納装置を備える電子機器を特徴とする。
【発明の効果】
【００１２】
本発明によれば、電池を外さなくともカード型機器の抜き差しができるとともに、薄型化を図ることができる。
【図面の簡単な説明】
【００１３】
【図１】本発明を適用した電子機器の一実施形態の構成を示すもので、携帯電話を示す斜視図であって、電池蓋を外して一緒に示した図である。
【図２】図１の電池とカード型機器との対向部の拡大図である。
【図３】図１の電池蓋の図２の部分に対応する内部のリブを示した斜視図である。
【図４】図１の矢印Ａ‐Ａ線に沿った要部断面図である。
【図５】カード型機器の収納状態を示した断面図である。
【図６】図５の状態からカード型機器を抜く途中を示した図である。
【図７】図２の状態からカード型機器を抜く途中を示した図である。
【図８】図１の筐体からカード型機器を外した状態を示した図である。
【図９】図８の筐体から目隠しシートを外した状態を示した図である。
【図１０】外付けスピーカの実施形態２を示した斜視図である。
【発明を実施するための形態】
【００１４】
以下、図を参照して本発明を実施するための形態を詳細に説明する。
（実施形態１）
図１は本発明を適用した電子機器の一実施形態の構成として携帯電話を示すもので、１は筐体、２は電池蓋、３は電池、４はメモリーカード、６は勾配面、７は目隠しシートである。
【００１５】
図示のように、筐体１の一面には、電池蓋２が着脱自在となっていて、その電池蓋２で覆われる電池３とメモリーカード４とが対向する位置で、ほぼ同一面となるよう配置して収納されている。そして、電池３とメモリーカード４との間には、図２に拡大して示したように、メモリーカード４が電池３を乗り越える位置まで移動できる間隔Ｗが設けられている。
【００１６】
図３は電池蓋２の前記間隔Ｗに対応する部分の内部を示したもので、図４は図１の矢印Ａ−Ａ線に沿った要部断面図である。図４において、８はＲＦ[Radio Frequency]端子、９は基板である。
【００１７】
図示のように、電池蓋２の内面には、筐体１に装着した状態において、メモリーカード４の端部に当接して当該メモリーカード４の抜けを防止する抜け防止リブ５が図示例では三本形成されている。
【００１８】
そして、筐体１の電池３とメモリーカード４との間の前記間隔Ｗには、当該メモリーカード４を抜け易くする勾配面６が形成されている。すなわち、勾配面６は、収納状態のメモリーカード４の先端が載る部分から収納状態の電池３の露出面に向かう傾斜角を有している。
【００１９】
従って、収納状態のメモリーカード４の先端に指先をかけて引くことで、図５から図６及び図７に示すように、メモリーカード４の先端が勾配面６にガイドされて、電池３を乗り越える位置までメモリーカード４を容易に引き出すことができる。
【００２０】
なお、勾配面６を設けなくとも、メモリーカード４を収納する収納部から少し引出した際に、その収納部とメモリーカード４との間に隙間ができるようにすれば、メモリーカード４を持ち上げながら容易に引き出すことができる。また、前記間隔Ｗがメモリーカード４の引出し方向の大きさよりも長ければ容易に引き出すことができる。
【００２１】
なお、図５に示すように、収納状態において、電池３に対しメモリーカード４の先端部が外側に位置しており、これにより、メモリーカード４の先端部の指先による引き出しが容易に行える。
【００２２】
図８は図１の筐体１からメモリーカード４を外した状態を示したもので、図示のように、勾配面６の横半分には目隠しシート７が貼り付けられている。この目隠しシート７の下には、図４から図６及び図９に示すように、丸穴が形成されていて、その丸穴に位置するＲＦ端子８が配置されている。このＲＦ端子８は、製品それぞれにおいて、アンテナ特性が異なるため、工場出荷時にアンテナ特性（電波特性）を規定値に調整するための端子である。
【００２３】
以上において、図４から図６に示すように、筐体１の内部に配置される基板９は、電池３とメモリーカード４との間の前記間隔Ｗにまで延設されている。
【００２４】
以上、実施形態の携帯電話によれば、筐体１の一面にほぼ同一面となるよう対向配置して収納した電池３とメモリーカード４との間に、当該メモリーカード４が電池３を乗り越える位置まで移動できる間隔Ｗを設けたことで、電池３を外さなくともメモリーカード４の抜き差しができるとともに、電池３とメモリーカード４をオーバーラップさせる必要がないことから、筐体１を薄型化することができる。
【００２５】
そして、電池３とメモリーカード４との間に設けた間隔Ｗを利用して、ＲＦ端子８を配置することができる。
【００２６】
また、電池３とメモリーカード４との間に設けた間隔Ｗを利用して、基板９を延設できることから、基板９を大きくして実装面積を拡大することができる。
【００２７】
（実施形態２）
図１０は実施形態２を示すもので、前述した実施形態１と同様、１は筐体、３は電池、６は勾配面、７は目隠しシートであって、１０は外付けカード型機器である。
【００２８】
実施形態２は、外付けカード型機器１０として、図示のように、カード１１にロッド１２を介して連結された外付けスピーカ１３を示したものである。
【００２９】
なお、実施形態２において、電池蓋は必ずしも必要がなく、このように電池蓋がない場合にも本発明は適用可能である。
【００３０】
（変形例）
以上の実施形態においては、携帯電話としたが、本発明はこれに限定されるものではなく、ＰＤＡ、ノートパソコン、ウェアラブルパソコン、電卓、電子辞書、デジタルカメラ、ゲーム機など電子機器の全てに用いることができる。
また、カード型機器は、実施形態のメモリーカードや外付けスピーカに限定されない。例えば、ＵＩＭ(ユーザーカード)、外付けカメラユニット、外付けフラッシュ、マイクなどであってもよい。
【００３１】
さらに、電池とカード型機器との間に配置する他の部品として、実施形態ではＲＦ端子としたが、これに限らず任意の電子部品や機械部品等であってもよい。
また、筐体、電池、カード型機器、電池蓋、リブ、勾配面の形状等も任意であり、その他、具体的な細部構造等についても適宜に変更可能であることは勿論である。
【符号の説明】
【００３２】
１  筐体
２  電池蓋
３  電池
４  カード型機器
５  抜け防止リブ
６  勾配面
７  目隠しシート
８  他の部品
９  基板
１０  外付けカード型機器
Ｗ  間隔
【図１】
2011166244.tif 000003
【図２】
2011166244.tif 000004
【図３】
2011166244.tif 000005
【図４】
2011166244.tif 000006
【図５】
2011166244.tif 000007
【図６】
2011166244.tif 000008
【図７】
2011166244.tif 000009
【図８】
2011166244.tif 000010
【図９】
2011166244.tif 000011
【図１０】
2011166244.tif 000012